(57)【要約】【課題】短時間充電を可能とする手段を提供すること。【解決手段】ＡＶレシーバー１は、接続される機器を充電する。ＡＶレシーバー１は、マイクロコンピューター２を備える。マイクロコンピューター２は、接続される機器への電力供給上限値を、ＡＶレシーバー１の状態に応じて、変化させる。マイクロコンピューター２は、接続される機器への電力供給を停止した後、電力供給を再開する。また、マイクロコンピューター２は、接続される機器への接続を解除した後、再接続を行う。【選択図】図１
2020205719.tif 000002
【特許請求の範囲】
【請求項１】
接続される機器を充電する電子機器であって、
制御部を備え、
前記制御部は、接続される機器への電力供給上限値を、自機器の状態に応じて、変化させることを特徴とする電子機器。
【請求項２】
前記制御部は、接続される機器への電力供給を停止した後、電力供給を再開することを特徴とする請求項１に記載の電子機器。
【請求項３】
前記制御部は、接続される機器への接続を解除した後、再接続を行うことを特徴とする請求項１又は２に記載の電子機器。
【請求項４】
前記制御部は、自機器の起動時、低電力供給設定とすることを特徴とする請求項１〜３のいずれか１項に記載の電子機器。
【請求項５】
前記制御部は、所定の条件を満たしている場合に、高電力供給設定とすることを特徴とする請求項１〜４のいずれか１項に記載の電子機器。
【請求項６】
所定の条件は、自機器の内部温度が、所定温度内であることを特徴とする請求項５に記載の電子機器。
【請求項７】
所定の条件は、接続される機器に供給する電力と同一電源系統の使用電力が、所定内であることを特徴とする請求項５に記載の電子機器。
【請求項８】
所定の条件は、自機器を構成する部品が、高温となる動作モードではないことを特徴とする請求項５に記載の電子機器。
【請求項９】
接続される機器を充電する電子機器の制御方法であって、
接続される機器への電力供給上限値を、自機器の状態に応じて、変化させることを特徴とする電子機器の制御方法。
【発明の詳細な説明】
【技術分野】
【０００１】
本発明は、接続される機器を充電する電子機器、及び、電子機器の設定方法に関する。
【背景技術】
【０００２】
近年、ＵＳＢ（Universal Serial Bus）は、ＰＣの周辺機器接続用途だけではなく、例えば、ＡＶレシーバー等のＡＶ機器のオーディオ再生用途、単なる外部機器への電源供給用途など、幅広い用途で使用されている。これに伴い、ＵＳＢの規格自体も、高機能化・大電力化が進んでいる。これに対し、市場にある製品が、規格上の全ての機能や最大電力に対応しているわけではなく、それぞれの使用用途に応じて、必要な機能や電力に制限がかけられているのが、一般的である。
【０００３】
一方で、スマートフォン等のポータブル機器も高機能化が進んでおり、その機能を長時間使用するためにも、バッテリーの大容量化が望まれている。大容量のバッテリーを搭載したポータブル機器の充電をより短時間で完了させたい場合、電源供給側の大電力化が必要となるが、例えば、その供給側がＡＶレシーバーのように、外部機器の充電が、主用途でない製品の場合、そのためだけに、電源強化や放熱の設計にコストをかけるのは難しいい。なお、特許文献１には、汎用のＵＳＢインターフェースのみを利用して、標準規格を超える電力をデバイス側に供給することが可能なＵＳＢ装置が開示されている。
【先行技術文献】
【特許文献】
【０００４】
【特許文献１】特開２００３−２６３２４５号公報
【発明の概要】
【発明が解決しようとする課題】
【０００５】
上述したように、ユーザーからは、機器の短時間充電が望まれている。
【０００６】
本発明の目的は、短時間充電を可能とする手段を提供することである。
【課題を解決するための手段】
【０００７】
第１の発明の電子機器は、接続される機器を充電する電子機器であって、制御部を備え、前記制御部は、接続される機器への電力供給上限値を、自機器の状態に応じて、変化させることを特徴とする。
【０００８】
本発明では、制御部は、接続される機器への電力供給上限値を、自機器の状態に応じて、変化させる。これにより、短時間で機器を充電することができる。
【０００９】
第２の発明の電子機器は、第１の発明の電子機器において、前記制御部は、接続される機器への電力供給を停止した後、電力供給を再開することを特徴とする。
【００１０】
一般的に、供給可能電力の検出は、電源接続時に行われる。本発明では、制御部は、接続される機器への電力供給を停止した後、電力供給を再開する。これにより、接続される機器に、供給可能電力の再認識を行わせることができる。
【００１１】
第３の発明の電子機器は、第１又は第２の発明の電子機器において、前記制御部は、接続される機器への接続を解除した後、再接続を行うことを特徴とする。
【００１２】
一般的に、供給可能電力の検出は、電源接続時に行われる。本発明では、制御部は、接続される機器への接続を解除した後、再接続を行う。これにより、接続される機器に、供給可能電力の再認識を行わせることができる。
【００１３】
第４の発明の電子機器は、第１〜第３のいずれかの発明の電子機器において、前記制御部は、自機器の起動時、低電力供給設定とすることを特徴とする。
【００１４】
第５の発明の電子機器は、第１〜第４のいずれかの発明の電子機器において、前記制御部は、所定の条件を満たしている場合に、高電力供給設定とすることを特徴とする。
【００１５】
第６の発明の電子機器は、第５の発明の電子機器において、所定の条件は、自機器の内部温度が、所定温度内であることを特徴とする。
【００１６】
第７の発明の電子機器は、第５の発明の電子機器において、所定の条件は、接続される機器に供給する電力と同一電源系統の使用電力が、所定内であることを特徴とする。
【００１７】
第８の発明の電子機器は、第５の発明の電子機器において、所定の条件は、自機器を構成する部品が、高温となる動作モードではないことを特徴とする。
【００１８】
第９の発明の電子機器の設定方法は、接続される機器を充電する電子機器の制御方法であって、接続される機器への電力供給上限値を、自機器の状態に応じて、変化させることを特徴とする。
【発明の効果】
【００１９】
本発明によれば、短時間で機器を充電することができる。
【図面の簡単な説明】
【００２０】
【図１】本発明の実施形態に係るＡＶレシーバーの構成を示すブロック図である。
【発明を実施するための形態】
【００２１】
以下、本発明の実施形態について説明する。図１は、本実施形態に係るＡＶレシーバーの構成を示すブロック図である。ＡＶレシーバー１（電子機器）は、例えば、ＣＤプレーヤー１００から出力された音声信号に、増幅等の音声処理を行って、スピーカー２００等に出力する。
【００２２】
図１に示すように、ＡＶレシーバー１は、マイクロコンピューター２、表示部３、操作部４、ＵＳＢインターフェース（以下、「ＵＳＢ  Ｉ／Ｆ」という。）５、デジタル信号入力端子６、ＤＩＲ（Digital Interface Receiver）７、ＤＳＰ（Digital Signal Processor）８、Ｄ／Ａコンバーター（以下、「ＤＡＣ」という。）９、ボリューム調整部１０、増幅器１１、スピーカー端子１２を備える。
【００２３】
マイクロコンピューター２（制御部）は、ＣＰＵ（Central Processing Unit）、ＲＯＭ（Read Only Memory）、ＲＡＭ（Random Access Memory）等のハードウェアから構成されている。ＣＰＵは、ＲＯＭに記憶されたプログラムに従って、ＡＶレシーバー１を構成する各部を制御する。ＲＡＭは、ＣＰＵの主メモリとして機能する。ＲＯＭは、プログラムを記憶する。
【００２４】
表示部３は、設定画面等を表示するものであり、ＬＣＤ（液晶ディスプレイ）や蛍光表示管等である。操作部４は、ユーザー操作を受け付けるためのものであり、ＡＶレシーバー１の筐体に設けられた操作ボタンやリモートコントローラーである。ユーザーは、操作部４を操作することにより、例えば、音声信号のボリューム値を指示することができる。ＵＳＢ  Ｉ／Ｆ５は、外部機器とＵＳＢ規格に対応した通信を行うためのインターフェースである
【００２５】
デジタル信号入力端子６には、ＣＤプレーヤー１００が接続されている。デジタル信号入力端子６には、ＣＤプレーヤー１００からＳＰＤＩＦ信号が入力される。ＤＩＲ７は、ＣＤプレーヤー１００から入力されるＳＰＤＩＦ信号を、Ｉ２Ｓ信号に変換する。変換されたＩ２Ｓ信号は、ＤＳＰ８に出力される。ＤＳＰ８は、Ｉ２Ｓ信号に、イコライザー処理等のデジタル信号処理を行う。デジタル信号処理が行われたＩ２Ｓ信号は、ＤＡＣ９に出力される。ＤＡＣ９は、Ｉ２Ｓ信号をアナログ音声信号にＤ／Ａ変換する。Ｄ／Ａ変換されたアナログ音声信号は、ボリューム調整部１０に出力される。
【００２６】
ボリューム調整部１０は、アナログ音声信号のボリューム値を調整する。ボリューム値が調整されたアナログ音声信号は、増幅器１１に出力される。増幅器１１は、ボリューム値が調整されたアナログ音声信号を増幅する。増幅されたアナログ音声信号は、スピーカー端子１２に出力される。スピーカー端子１２には、スピーカー２００が接続されている。スピーカー２００は、アナログ音声信号に基づいて、音声を出力する。
【００２７】
ＡＶレシーバー１は、図示しないが、ＵＳＢポートを備えており、ＵＳＢポートに、ＵＳＢケーブルを介して、スマートフォン等の機器が接続される。ＡＶレシーバー１は、接続される機器を充電する。一般に、スマートフォンのようなポータブル機器は、ＵＳＢ規格で示されているように、電源供給側（ここでは、ＡＶレシーバー１）の供給可能電力を検出することができる。そして、ポータブル機器は、それに応じて、引き出す受電電力を変えるという機能を持っている。この機能を利用し、マイクロコンピューター２は、ＡＶレシーバー１の動作状況（内部温度、使用電源容量）に応じて、接続される機器への電力供給上限値（指示値）を変えることで、出力する電力を最適化することができる。
【００２８】
また、一般的に、供給可能電力の検出は、電源接続時に行われる。このため、既に充電が開始された後に、設定を変更したい場合、必要に応じて、マイクロコンピューター２は、ＶＢＵＳ（電力供給）停止→再投入、接続解除→再接続を行うことで、機器に供給可能電力の再認識をさせることも可能である。
【００２９】
一実施形態として、例えば、マイクロコンピューター２は、ＡＶレシーバー１の起動時、低供給電力設定とする。そして、マイクロコンピューター２は、以下の（１）〜（３）の条件を満たせば、高供給電力設定とする。
（１）ＡＶレシーバー１の内部温度が、所定温度内であること。
（２）ＶＢＵＳ（接続される機器に供給する電力）と同一電源系統の使用電力が、所定内であること。
（３）関連部品（所定の部品）が高温となる動作モードではないこと。
【００３０】
マイクロコンピューター２は、（２）について、使用されているＵＳＢポートの数、使用機能により、判定をすることができる。また、マイクロコンピューター２は、（３）について、増幅器１１が、マルチチャンネル動作しているか、出力大の状況であるかにより、判定をすることができる。
【００３１】
以上説明したように、本実施形態では、マイクロコンピューター２は、接続される機器への電力供給上限値を、ＡＶレシーバー１の状態に応じて、変化させる。これにより、短時間で機器を充電することができる。
【００３２】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３３】
上述の実施形態においては、電子機器として、ＡＶレシーバー１を例示した。これに限らず、接続される機器を充電する電子機器であればよい。
【産業上の利用可能性】
【００３４】
本発明は、接続される機器を充電する電子機器、及び、電子機器の設定方法に好適に採用され得る。
【符号の説明】
【００３５】
１  ＡＶレシーバー（電子機器）
２  マイクロコンピューター（制御部）
【図１】
2020205719.tif 000003